(57)【要約】【課題】室内の空気や換気扇を汚さず快適な調理を実現するとともに、器体のお手入れ性を向上し、完全フラットトップのデザイン性を向上すること。【解決手段】排気口３５は排気ダクト３８と連結し、壁面３９の開口穴から室外に導かれるよう構成することにより、本体２０内部の熱気を室外へ排気でき、室内の空気を汚さず、クリーンで快適な調理空間を維持することができる。【選択図】図２
2005302463.tif 000002
【特許請求の範囲】
【請求項１】
外郭を構成する本体と、前記本体の上面に設け、被加熱物を載置するトッププレートと、前記トッププレートの下方に設けられ前記被加熱物を誘導加熱する複数個の加熱コイル部と、前記加熱コイル部を制御する複数の制御装置と、複数の冷却ファンと、グリル部とを備え、前記加熱コイル部と前記制御装置と前記冷却ファンが一対で配設され、各前記一対相互間を仕切り板で隔離して、複数の本体室を形成し、前記冷却ファンにより、吸気口から吸気された冷却風は、各前記本体室を独立して冷却し、前記本体の背面に開口した排気口に連結して排気ダクトを設け、前記排気ダクトは、壁面を貫通して冷却風を室外へ排気する構成とした誘導加熱調理器。
【請求項２】
本体の背面に開口した吸気口に連結して吸気ダクトを設け、かつ本体の背面に開口した排気口に連結して排気ダクトを設け、前記吸気ダクト及び前記排気ダクトは、壁面を貫通して室外の外気を直接吸気して、冷却風を室外へ排気する構成とした請求項１に記載の誘導加熱調理器。
【請求項３】
本体の背面に開口した排気口にグリル部の排気筒を連結して排気ダクトを設け、前記排気ダクトは、壁面を貫通して冷却風を室外へ排気する構成とした請求項１または２に記載の誘導加熱調理器。
【請求項４】
加熱コイル部は、誘導加熱する加熱コイルと、前記加熱コイルの内外周のうち少なくとも一方に鉛直に設け、かつ前記加熱コイルの下方を支持する磁性体と、前記磁性体を固着保持するベースと、前記加熱コイル部の略中央に設けた赤外線検知装置とを備え、前記加熱コイル部の内周は、前記磁性体を露出して構成した請求項１に記載の誘導加熱調理器。
【請求項５】
加熱コイル部の上面は、加熱コイルとベースが同一高さとなるように構成した請求項４に記載の誘導加熱調理器。
【請求項６】
赤外線検知装置は、赤外線を検知して被加熱物の絶対温度を測る赤外線センサーと、円筒状のコアと、前記赤外線センサーと前記コアを収納して固定するケースとを備え、前記赤外線センサーは、前記コアに覆われる構成とした請求項４に記載の誘導加熱調理器。
【請求項７】
本体の天面全体を開口部のないフラットなトッププレートで構成した請求項１に記載の誘導加熱調理器。
【請求項８】
誘導加熱する加熱コイルの径がΦ１９０ｍｍ以上の加熱コイル部を、３口以上備えた請求項１に記載の誘導加熱調理器。
【請求項９】
天面後方に配設された加熱コイル部に冷却風が集中するようにガイドを設け、最適流路を形成するように複数の冷却ファンの向きを調整するように構成した請求項８に記載の誘導加熱調理器。
【請求項１０】
少なくとも１つの加熱コイルに、５０ｋＨｚを下回らない高周波電流を流して、被加熱物を誘導加熱する構成とした請求項１〜９のいずれか１項に記載の誘導加熱調理器。
【発明の詳細な説明】
【技術分野】
【０００１】
本発明は、一般家庭のキッチンで使用する誘導加熱調理器に関し、特に最適冷却構成とデザイン構成とに関するものである。
【背景技術】
【０００２】
従来、一般家庭で使用される誘導加熱調理器は、内蔵する加熱源や制御部品の熱損失等により、内部温度が上昇する。したがって、内部温度の上昇を低減するためにさまざまな技術的工夫が提言されてきている（例えば、特許文献１参照）。
【０００３】
図１３は特許文献１に記載された従来の誘導加熱調理器を示すものである。図１３に示すように、器体１０１の略中央にグリル部加熱装置１０２を配設し、グリル部加熱装置１０２を挟んで略対称に複数の上方加熱装置１０３、１０４と制御装置１０６、１０７と冷却ファン１０８、１０９と吸気口１１０、１１１と排気口１１２、１１３を配設して構成されている。
【特許文献１】特開２００２−３１３５３号公報
【発明の開示】
【発明が解決しようとする課題】
【０００４】
しかしながら前記従来の構成では、内部の熱気をフレーム１１５に開口した通気口１１８から室内上方に排気され、グリル部加熱装置１０２から排気される熱気や煙がフレーム１１５に開口した通気口１１８から室内上方に排気されるため、室内換気用の換気扇を必要とし、少なからず室内の空気や換気扇を汚す原因となり、またフレーム１１５やプレート１１６は油煙などで汚れやすくなるという課題を有していた。
【０００５】
また、調理時のふきこぼれや、ごみなどが通気口１１８から器体１０１内部に侵入して簡単に清掃することができないという課題を有していた。
【０００６】
さらに、誘導加熱調理器ならではのフラットトップデザインが、器体１０１後方のフレーム１１５デザインで損なわれるという課題を有していた。
【０００７】
本発明は、前記従来の課題を解決するもので、グリル部の熱気と油煙および器体１０１内部からの熱気を、直接室外に排気する構成とすることで、室内の空気や換気扇を汚さず快適な調理を実現するとともに、器体１０１のお手入れ性を向上し、完全フラットトップのデザイン性を向上した誘導加熱調理器を提供することを目的とする。
【課題を解決するための手段】
【０００８】
前記従来の課題を解決するために、本発明の誘導加熱調理器は、グリル部の熱気と油煙および器体１０１内部からの熱気を、直接室外に排気するよう器体の背面に排気口を設け、これに連結して排気ダクトを壁面を貫通して設ける構成としたものである。
【０００９】
これによって、図１３におけるフレーム１１５の通気口１１８をなくすことができるよう構成したものである。
【００１０】
これによって、フレーム１１５や、プレート１１６が油煙などによって汚れることがなくなるものである。
【００１１】
さらに、これによって調理中のふきこぼれや調理物、ごみなどが器体１０１内部に侵入することがなくなるものである。
【００１２】
さらに、これによって奥行き寸法が増し、調理スペース（プレート１１６）が広がるとともにデザイン性を向上するものである。
【００１３】
また、本発明の誘導加熱調理器は、加熱コイル部（加熱装置１０３、１０４）内周を露出した磁性体で構成したものである。
【００１４】
これによって、被加熱物の温度検知用赤外線検知装置のノイズによる誤作動を防止でき、かつ磁性体自身の温度上昇低減を図れるものである。
【００１５】
また、本発明の誘導加熱調理器は、加熱コイル部の加熱コイルとベースが同一高さになるよう構成したものである。
【００１６】
これによって、冷却風の圧損が低減でき加熱コイルの温度上昇を低減できるものである。
【００１７】
また、本発明の誘導加熱調理器は、誘導加熱する加熱コイルの径がΦ１９０ｍｍ以上の加熱コイル部を、３口以上備えた構成としたものである。
【００１８】
これによって、電気代のかからない省エネ調理器を実現し、使い勝手を向上することができるものである。
【００１９】
また、本発明の誘導加熱調理器は、天面（プレート１１６）後方に配設された加熱コイル部に冷却風が集中するようにガイドを設け、最適流路を形成するように複数の冷却ファンの向きを調整する構成としたものである。
【００２０】
これによって、天面後方に配設された加熱コイル部の温度上昇を低減することができるものである。
【発明の効果】
【００２１】
本発明の誘導加熱調理器は、グリル部の熱気と油煙および器体内部からの熱気を、直接室外に排気する構成とすることで、室内の空気や換気扇を汚さず快適な調理を実現するとともに、器体のお手入れ性を向上し、奥行き寸法が増して、調理スペースが広がり、かつ、完全フラットトップのデザイン性を向上した誘導加熱調理器を提供することができるものである。
【発明を実施するための最良の形態】
【００２２】
第１の発明は、外郭を構成する本体と、前記本体の上面に設け、被加熱物を載置するトッププレートと、前記トッププレートの下方に設けられ前記被加熱物を誘導加熱する複数個の加熱コイル部と、前記加熱コイル部を制御する複数の制御装置と、複数の冷却ファンと、グリル部とを備え、前記加熱コイル部と前記制御装置と前記冷却ファンが一対で配設され、各前記一対相互間を仕切り板で隔離して、複数の本体室を形成し、前記冷却ファンにより、吸気口から吸気された冷却風は、各前記本体室を独立して冷却し、前記本体の背面に開口した排気口に連結して排気ダクトを設け、前記排気ダクトは、壁面を貫通して冷却風を室外へ排気する構成とすることにより、内部の熱気やグリル部加熱装置から排気される熱気や煙が排気ダクトを介して室外に排気されるので、室内上方に排気されることがなくなり、換気扇を必要とせず室内の空気や換気扇を汚すことがない構成とすることができる。
【００２３】
第２の発明は、特に、第１の発明の本体の背面に開口した吸気口に連結して吸気ダクトを設け、かつ本体の背面に開口した排気口に連結して排気ダクトを設け、前記吸気ダクト及び前記排気ダクトは、壁面を貫通して室外の外気を直接吸気して、冷却風を室外へ排気する構成とすることにより、よりフレッシュな冷却風を常に器体内部に供給することで冷却能力を向上することができる。
【００２４】
第３の発明は、特に、第１または第２の発明の本体の背面に開口した排気口にグリル部の排気筒を連結して排気ダクトを設け、前記排気ダクトは、壁面を貫通して冷却風を室外へ排気する構成とすることにより、グリル部の油煙や熱気が排気ダクトを介して室外に排気されるので、室内に排気されることがなく、フレームや、プレートが油煙などによって汚れることはなく、快適で、清掃性を格段に向上することができる。
【００２５】
第４の発明は、特に、第１の発明の加熱コイル部は、誘導加熱する加熱コイルと前記加熱コイルの内外周のうち少なくとも一方に鉛直に設け、かつ前記加熱コイルの下方を支持する磁性体と前記磁性体を固着保持するベースと、前記加熱コイル部の略中央に設けた赤外線検知装置とを備え、前記加熱コイル部の内周は、前記磁性体を露出して構成することにより、赤外線検知装置のノイズによる誤作動を防止でき、冷却風がむき出しの磁性体の表面から、熱を奪っていくため、磁性体自身の温度上昇低減を図ることができる。
【００２６】
第５の発明は、特に、第４の発明の加熱コイル部の上面は、加熱コイルとベースが同一高さとなるように構成することにより、冷却風の圧損が低減でき加熱コイルに最適な冷却流路を形成できるため、加熱コイルの温度上昇を低減することができる。
【００２７】
第６の発明は、特に、第４の発明の赤外線検知装置は、赤外線を検知して被加熱物の絶対温度を測る赤外線センサーと、円筒状のコアと、前記赤外線センサーと前記コアを収納して固定するケースとを備え、前記赤外線センサーは、前記コアに覆われる構成とすることにより、赤外線センサーのノイズによる誤作動防止効果を向上することができる。
【００２８】
第７の発明は、特に、第１の発明の本体の天面全体を開口部のないフラットなトッププレートで構成することにより、調理中のふきこぼれや調理物、ごみなどが器体内部に侵入することがなくなり、奥行き寸法が増し、調理スペースが広がるとともにデザイン性を向上することができる。
【００２９】
第８の発明は、特に、第１の発明の誘導加熱する加熱コイルの径がΦ１９０ｍｍ以上の加熱コイル部を、３口以上備えた構成とすることにより、従来の抵抗ヒータ式等の低い熱効率（４０〜５０％）から高い熱効率（約９０％）の誘導加熱式にすることで、電気代を減らせる省エネ調理器を実現し、使い勝手を向上することができる。
【００３０】
第９の発明は、特に、第８の発明の天面後方に配設された加熱コイル部に冷却風が集中するようにガイドを設け、最適流路を形成するように複数の冷却ファンの向きを調整するように構成することにより、天面後方に配設された加熱コイル部の温度上昇を低減することができるものである。
【００３１】
第１０の発明は、特に、第１〜第９のいずれか１つの発明の少なくとも１つの加熱コイルに、５０ｋＨｚを下回らない高周波電流を流して、被加熱物を誘導加熱する構成とすることにより、回路にノイズが乗りにくい構成と、効率的な冷却構成とを組み合わせ、透磁率の低い銅鍋やアルミニウム鍋などを用いて高周波電流を流すことにより生ずる漏洩磁束やノイズの影響を受けにくくすることができる。
【００３２】
以下、本発明の実施の形態について、図面を参照しながら説明する。なお、この実施の形態によって本発明が限定されるものではない。
【００３３】
（実施の形態１）
図１と図２は、本発明の第１の実施の形態における誘導加熱調理器の斜視図と要部断面図を示すものである。
【００３４】
図１と図２において、本体２０は、流し台２１の上面開口穴（図示せず）から挿入設置されている。本体２０は、フレーム２２に接着固定されたトッププレート２３の下方に右加熱コイル部２４と、左加熱コイル部２５とを設け、右加熱コイル部２４を制御する右制御装置２６をその下方に配設し、左加熱コイル部２５を制御する左制御装置２７をその下方に配設し、本体２０の後方に配設された右冷却ファン２８が右加熱コイル部２４と右制御装置２６とで一対を構成し、左冷却ファン２９が左加熱コイル部２５と左制御装置２７とで一対を構成し、仕切板３０でそれぞれの一対を隔離して右本体室３１と左本体室３２を形成している。左本体室３２の下方にグリル部３３が配設されている。本体２０の前面に開口した吸気口３４と本体２０の背面に開口した排気口３５とグリル部３３の後方に庫内と連結した排気筒３６を備え、排気筒３６はフレーム２２の排気筒連結口３７と連結し排気口３５は排気ダクト３８と連結し、壁面３９の開口穴から室外に導かれるよう構成している。
【００３５】
以上のように構成された誘導加熱調理器について、以下その動作、作用を説明する。
【００３６】
まず、仕切板３０で右本体室３１と左本体室３２を隔離することにより、相互間に与える温度上昇およびノイズの影響を低減するよう働き、それぞれに右冷却ファン２８と左冷却ファン２９により、効率よく冷却効果を向上させることができる。また、右制御装置２６と左制御装置２７が誤動作することを防止できる。
【００３７】
次に、排気口３５は排気ダクト３８と連結し、壁面３９の開口穴から室外に導かれるよう構成していることにより、本体２０内部の熱気を室外上方へ排気でき、室内の空気を汚さず、クリーンで快適な調理空間を維持することができる。
【００３８】
なお、本実施の形態１では、右冷却ファン２８が右加熱コイル部２４と右制御装置２６とで一対を構成し、左冷却ファン２９が左加熱コイル部２５と左制御装置２７とで一対を形成するよう構成したが、右制御装置２６および左制御装置２７は、右加熱コイル部２４または左加熱コイル部２５のいずれかを制御していれば、配置・組み合わせはどのようでもよい。
【００３９】
（実施の形態２）
図３と図４は、本発明の第２の実施の形態の誘導加熱調理器の平面図と要部断面図である。なお、本実施の形態２の基本構成は実施の形態１と同様であるので、その同様な部分の説明は省略し、相違点を中心に説明する。また、実施の形態１と同じ機能には同じ符号を付してその説明を省略する。
【００４０】
図３と図４において、本実施例の特徴は、実施の形態１における吸気口３４を本体２０の背面に開口して設け、吸気ダクト４０で連結して壁面３９の開口穴から、室外の空気を吸気する構成としている点である。
【００４１】
以上のように構成された誘導加熱調理器について、以下その動作、作用を説明する。
【００４２】
まず、吸気口３４を本体２０の背面に開口して設け、吸気ダクト４０で連結して壁面３９の開口穴から、室外の本体２０後方の空気を吸気する構成とすることで常にフレッシュな冷却風を本体２０内部に供給でき、冷却性能を向上することができる。
【００４３】
（実施の形態３）
図５と図６は、本発明の第３の実施の形態の誘導加熱調理器の平面図および要部断面図である。なお、本実施の形態３の基本構成は実施の形態１と同様であるので、その同様な部分の説明は省略し、相違点を中心に説明する。また実施の形態１と同じ機能には同じ符号を付してその説明を省略する。
【００４４】
図５と図６において、本実施例の特徴は、実施の形態１における排気筒３６を本体２０の背面方向に延長し、排気ダクト３８と連結して壁面３９の開口穴から室外に導かれるよう構成している点である。
【００４５】
以上のように構成された誘導加熱調理器について、以下その動作、作用を説明する。
【００４６】
まず、排気筒３６を本体２０の背面方向に延長し、排気ダクト３８と連結して壁面３９の開口穴から室外に導かれるよう構成することにより、グリル部３３からの熱気や、油煙が室外上方へ排気でき、室内の空気や、換気扇を汚すことはなく、フレーム２２に開口していた排気筒連結口３７を廃止できるため天面（トッププレート２３と略同一面）に開口部がなく、調理時のふきこぼれや、調理物、ごみなどが本体２０内部に侵入することもなく、清掃性と使い勝手を格段に向上することができる。
【００４７】
（実施の形態４）
図７は、本発明の第４の実施の形態の誘導加熱調理器の加熱コイル部５１の要部断面図である。
【００４８】
図７において、本体２０の上面を構成するトッププレート２３の上にアルミニウム製の被加熱物５０が載置され、トッププレート２３の下方には加熱コイル部５１が緩衝体５２をトッププレート２３の裏面で当接させて弾性体５３で上方に付勢力を働かせて保持している。樹脂製のベース５４に加熱コイル５５が固着され、加熱コイル５５の内周および外周に鉛直に立設してフェライト製の磁性体５６が接着されている。ここで磁性体５６の下方側および内周側はベース５４に覆われておらず、むき出し状態である。そして、加熱コイル部５１の略中央に赤外線検知装置５７が配設され、制御部と電気的につながっている。
【００４９】
以上のように構成された誘導加熱調理器について、以下その動作、作用を説明する。
【００５０】
まず、アルミニウム製鍋５０のように高周波電流を流して加熱される誘導加熱において、加熱コイル５５から発振されるノイズは通常の鉄鍋を加熱する場合に比べて大きく、制御的にノイズにより誤動作を引き起こしやすいが、加熱コイル５５の内周および外周を磁性体５６で覆うことにより加熱コイル５５から発振されるノイズを磁性体５６に吸収させて、加熱コイル部５１の略中央に配設された赤外線検知装置５７にノイズが影響することはなく、常に正常な温度制御動作を得ることができる。
【００５１】
次に、磁性体５６の下方側および内周側はベース５４に覆われておらず、むき出し状態であるため、冷却風が直接磁性体５６の表面から熱を奪うよう働き、加熱コイル部５１の温度上昇を低減することができる。
【００５２】
（実施の形態５）
図８は、本発明の第５の実施の形態の誘導加熱調理器の加熱コイル部の要部断面図である。なお、本実施の形態５の基本構成は実施の形態４と同様であるので、その同様な部分の説明は省略し、相違点を中心に説明する。また実施の形態１と同じ機能には同じ符号を付してその説明を省略する。
【００５３】
図８において、本実施例の特徴は、加熱コイル部５１のベース５４の上面高さ（加熱コイル５５高さ）に対して、磁性体５６の高さが同一である点である。
【００５４】
以上のように構成された誘導加熱調理器について、以下その動作、作用を説明する。
【００５５】
まず、加熱コイル部５１のベース５４の上面高さに対して、磁性体５６の高さが同一であるため、トッププレート２３の裏面と加熱コイル部５１の上面との間を流れる冷却風に対して、磁性体５６のとび出しがないので、圧損がなくスムーズに冷却流路を形成するよう働き、加熱コイル５５の温度上昇を効率よく低減することができる。
【００５６】
（実施の形態６）
図９は、本発明の第６の実施の形態の誘導加熱調理器の赤外線検知装置の要部断面図である。
【００５７】
図９において、加熱コイル部５１の略中央に設けた赤外線検知装置は、樹脂製のケース６１を外郭として、その内側にフェライト製のコア６２を配設し、コア６２の内周に赤外線センサー６３をアルミ製の鏡筒６４で保持して配設している。
【００５８】
以上のように構成された誘導加熱調理器について、以下その動作、作用を説明する。
【００５９】
アルミニウム製鍋５０のように高周波電流を流して加熱される誘導加熱において、加熱コイル部５１の加熱コイル５５から発振されるノイズは通常の鉄鍋を加熱する場合に比べて大きく、制御的にノイズにより誤動作を引き起こしやすいが、加熱コイル５５に対して赤外線センサー６３をコア６２で覆い加熱コイル５５から発振されるノイズをコア６２に吸収させて、ノイズによる影響をさらになくして安定した正常動作を得ることができる。
【００６０】
（実施の形態７）
図１０は、本発明の第７の実施の形態の誘導加熱調理器の平面図である。
【００６１】
図１０において、トッププレート７０の奥行き寸法が従来より約８０ｍｍ拡大し、フレーム７１の後方に開口穴および凸凹がないため、調理スペースの拡大とデザイン性の向上が図れ、より使い勝手のよい誘導加熱調理器を提供できる。
【００６２】
（実施の形態８）
図１１は、本発明の第８の実施の形態の誘導加熱調理器の斜視図である。
【００６３】
図１１において、本体８０の上面を構成するトッププレート７０の奥行き寸法が従来より約８０ｍｍ拡大し、右加熱コイル部８２と左加熱コイル部８３と中央加熱コイル部８４のそれぞれにおいて加熱コイルの径がΦ１９０ｍｍ以上の加熱コイル部を有し、Φ１９０ｍｍまで、すなわち、近年市販品として使われている底径が略最大の被加熱物（鍋、フライパン等）を互いが干渉せずに加熱可能な印刷表示が配列でき、加熱コイルに、５０ｋＨｚを下回らない高周波電流を流して、被加熱物を誘導加熱し、回路にノイズが乗りにくい構成と、効率的な冷却構成とを組み合わせることで、３口のアルミニウム製鍋の加熱も可能な誘導加熱調理器を提供することができる。
【００６４】
（実施の形態９）
図１２は、本発明の第９の実施の形態の誘導加熱調理器の要部平面図である。
【００６５】
図１２において、本体９０内の右冷却ファン９１と左冷却ファン９２を本体９０の前方に配設し、右冷却ファン９１と左冷却ファン９２は、やや中央加熱コイル部８４にそれぞれの回転軸中心を向け、中央加熱コイル部８４と右加熱コイル部８２の後方への隙間を塞ぐように板金製の右ガイド９６を配設し、同様に中央加熱コイル部８４と左加熱コイル部８３の後方への隙間を塞ぐように板金製の左ガイド９７を配設している。
【００６６】
以上のように構成された誘導加熱調理器について、以下その動作、作用を説明する。
【００６７】
専用の一対の冷却ファンがなくても右冷却ファン９１と左冷却ファン９２との冷却風を案内して中央加熱コイル部８４への最適冷却流路を構成できる。
【産業上の利用可能性】
【００６８】
以上のように、本発明にかかる誘導加熱調理器は、グリル部の熱気と油煙および器体内部からの熱気を、直接室外に排気するので、据え置き型、組み込み型の加熱調理器等に適用できる。
【図面の簡単な説明】
【００６９】
【図１】本発明の第１の実施の形態における誘導加熱調理器の要部斜視図
【図２】同要部断面図
【図３】本発明の第２の実施の形態における誘導加熱調理器の平面図
【図４】同要部断面図
【図５】本発明の第３の実施の形態における誘導加熱調理器の平面図
【図６】同要部断面図
【図７】本発明の第４の実施の形態における加熱コイル部の要部断面図
【図８】本発明の第５の実施の形態における加熱コイル部の要部断面図
【図９】本発明の第６の実施の形態における赤外線検知装置の断面図
【図１０】本発明の第７の実施の形態における誘導加熱調理器の平面図
【図１１】本発明の第８の実施の形態における誘導加熱調理器の斜視図
【図１２】本発明の第９の実施の形態における誘導加熱調理器の要部平面図
【図１３】従来の誘導加熱調理器の斜視図
【符号の説明】
【００７０】
２０、８０、９０  本体
２１  流し台
２２、７１  フレーム
２３、７０  トッププレート
２４  右加熱コイル部
２５  左加熱コイル部
２６  右制御装置
２７  左制御装置
２８  右冷却ファン
２９  左冷却ファン
３０  仕切板
３１  右本体室
３２  左本体室
３３  グリル部
３４  吸気口
３５  排気口
３６  排気筒
３７  排気筒連結口
３８  排気ダクト
３９  壁面
４０  吸気ダクト
５０  被加熱物
５１  加熱コイル部
５２  緩衝体
５３  弾性体
５４  ベース
５５  加熱コイル
５６  磁性体
５７  赤外線検知装置
６１  ケース
６２  コア
６３  赤外線センサー
６４  鏡筒
８２  右加熱コイル部
８３  左加熱コイル部
８４  中央加熱コイル部
９１  右冷却ファン
９２  左冷却ファン
９６  右ガイド
９７  左ガイド
【図１】
2005302463.tif 000003
【図２】
2005302463.tif 000004
【図３】
2005302463.tif 000005
【図４】
2005302463.tif 000006
【図５】
2005302463.tif 000007
【図６】
2005302463.tif 000008
【図７】
2005302463.tif 000009
【図８】
2005302463.tif 000010
【図９】
2005302463.tif 000011
【図１０】
2005302463.tif 000012
【図１１】
2005302463.tif 000013
【図１２】
2005302463.tif 000014
【図１３】
2005302463.tif 000015